(57)【要約】【課題】使い勝手を向上させた記録装置及び記録装置の制御方法を提供すること。【解決手段】記録装置は、媒体に記録する記録部と、記録された前記媒体の排出先である複数の排出部と、複数の排出部から一の排出部を媒体の排出先として決定する制御部と、を備え、制御部は、受信したジョブデータにおいて媒体の排出先が指定されている場合に、指定された排出部を媒体の排出先として決定し、ジョブデータにおいて媒体の排出先が指定されていない場合に、媒体の排出先として使用された複数の排出部の使用頻度に基づいて複数の排出部から一の排出部を媒体の排出先として決定する。【選択図】図８
2020097148.tif 000002
【特許請求の範囲】
【請求項１】
媒体に記録する記録部と、
記録された前記媒体の排出先である複数の排出部と、
複数の前記排出部から一の前記排出部を前記媒体の排出先として決定する制御部と、を備え、
前記制御部は、受信したジョブデータにおいて前記媒体の排出先が指定されている場合に、指定された前記排出部を前記媒体の排出先として決定し、
前記ジョブデータにおいて前記媒体の排出先が指定されていない場合に、前記媒体の排出先として使用された複数の前記排出部の使用頻度に基づいて複数の前記排出部から一の前記排出部を前記媒体の排出先として決定することを特徴とする記録装置。
【請求項２】
前記制御部は、前記ジョブデータにおいて前記媒体の排出先として指定された回数である前記排出部の指定回数に基づいて学習し、前記使用頻度を特定することを特徴とする請求項１に記載の記録装置。
【請求項３】
前記排出部である第１排出部及び第２排出部と、
第１位置と第２位置とに変位可能に構成される変位部材と、
前記第２位置に位置する前記変位部材を検出する検出部と、を備え、
前記変位部材は、前記第１位置に位置する場合に前記媒体を前記第１排出部に向けてガイドし、前記第２位置に位置する場合に前記媒体を前記第２排出部に向けてガイドし、
前記制御部は、前記検出部が前記変位部材を検出する状態で前記媒体が排出された回数に基づいて学習し、前記使用頻度を特定することを特徴とする請求項１に記載の記録装置。
【請求項４】
前記排出部である第１排出部及び第２排出部と、
前記第２排出部に向けて排出される前記媒体を検知する検知部を備え、
前記制御部は、前記検知部が前記媒体を検知した回数である検知回数に基づいて学習し、前記使用頻度を特定することを特徴とする請求項１に記載の記録装置。
【請求項５】
前記使用頻度を記録する不揮発性メモリーを備え、
前記使用頻度は、リセット可能であることを特徴とする請求項１から請求項４の何れか一項に記載の記録装置。
【請求項６】
前記排出部である第１排出部及び第２排出部を備え、
前記媒体の排出先が前記第１排出部である場合に、直前に記録された面が上向きとなる姿勢で前記媒体を前記第１排出部に向けて排出し、
前記媒体の排出先が前記第２排出部である場合に、直前に記録された面が下向きとなる姿勢で前記媒体を前記第２排出部に向けて排出することを特徴とする請求項１から請求項５のうち何れか一項に記載の記録装置。
【請求項７】
閾値を記憶する不揮発性メモリーを備え、
前記制御部は、前記第１排出部の前記使用頻度が前記閾値以上となる場合に、前記媒体の排出先が指定されていない場合の前記媒体の排出先として前記第１排出部を設定し、
前記第１排出部の前記使用頻度が前記閾値未満となる場合に、前記媒体の排出先が指定されていない場合の前記媒体の排出先として前記第２排出部を設定し、
前記閾値は、変更可能であることを特徴とする請求項６に記載の記録装置。
【請求項８】
前記制御部は、前記第１排出部の前記使用頻度が前記閾値以上となる場合に、前記媒体の排出先が指定されていない場合の前記媒体の排出先として前記第１排出部が設定されたことを報知し、
前記第１排出部の前記使用頻度が前記閾値未満となる場合に、前記媒体の排出先が指定されていない場合の前記媒体の排出先として前記第２排出部が設定されたことを報知することを特徴とする請求項７に記載の記録装置。
【請求項９】
前記記録装置にアクセスするユーザーごとの前記使用頻度を記憶する不揮発性メモリーを備えることを特徴とする請求項１から請求項８の何れか一項に記載の記録装置。
【請求項１０】
媒体に記録する記録部と、
記録された前記媒体の排出先である複数の排出部と、を備える記録装置の制御方法であって、
前記媒体の排出先が指定されている場合に、指定された一の前記排出部を前記媒体の排出先として決定することと、
前記媒体の排出先が指定されていない場合に、前記媒体の排出先として使用された複数の前記排出部の使用頻度に基づいて複数の前記排出部から一の前記排出部を前記媒体の排出先として決定することと、を含むことを特徴とする記録装置の制御方法。
【発明の詳細な説明】
【技術分野】
【０００１】
本発明は、記録装置及び記録装置の制御方法に関する。
【背景技術】
【０００２】
特許文献１には、記録装置の一例として、媒体が排出される排出部である排紙段を複数備える画像形成装置が記載されている。この画像形成装置は、媒体を排出する際に、複数の排紙段のうち排出時におけるエラーの発生率が低い排紙段を優先的に選択する。
【先行技術文献】
【特許文献】
【０００３】
【特許文献１】特開２００５−２００１８６号公報
【発明の概要】
【発明が解決しようとする課題】
【０００４】
特許文献１に記載された画像形成装置においては、ユーザーがあまり使用しない排紙段が、エラーの発生率が低い排紙段となる場合がある。この場合、ユーザーがあまり使用しない排紙段に媒体が排出されるため、ユーザーにとって使い勝手がよくないことがある。
【課題を解決するための手段】
【０００５】
上記課題を解決する記録装置は、媒体に記録する記録部と、記録された前記媒体の排出先である複数の排出部と、複数の前記排出部から一の前記排出部を前記媒体の排出先として決定する制御部と、を備え、前記制御部は、受信したジョブデータにおいて前記媒体の排出先が指定されている場合に、指定された前記排出部を前記媒体の排出先として決定し、前記ジョブデータにおいて前記媒体の排出先が指定されていない場合に、前記媒体の排出先として使用された複数の前記排出部の使用頻度に基づいて複数の前記排出部から一の前記排出部を前記媒体の排出先として決定する。
【０００６】
上記課題を解決する記録装置の制御方法は、媒体に記録する記録部と、記録された前記媒体の排出先である複数の排出部と、を備える記録装置の制御方法であって、前記媒体の排出先が指定されている場合に、指定された一の前記排出部を前記媒体の排出先として決定することと、前記媒体の排出先が指定されていない場合に、前記媒体の排出先として使用された複数の前記排出部の使用頻度に基づいて複数の前記排出部から一の前記排出部を前記媒体の排出先として決定することと、を含む。
【図面の簡単な説明】
【０００７】
【図１】記録装置の一実施形態を示す斜視図。
【図２】記録装置の上面図。
【図３】カバーが開いたときの記録装置の斜視図。
【図４】図２における４−４線で切断した記録装置の断面図。
【図５】カバーが開いたときの記録装置の断面図。
【図６】記録装置の電気的構成を示すブロック図。
【図７】指定画面の模式図。
【図８】第１記録処理のフローチャート。
【図９】第２記録処理のフローチャート。
【図１０】第３記録処理のフローチャート。
【図１１】第４記録処理のフローチャート。
【図１２】第５記録処理の前半部分を示すフローチャート。
【図１３】第５記録処理の後半部分を示すフローチャート。
【図１４】第６記録処理の前半部分を示すフローチャート。
【図１５】第６記録処理の後半部分を示すフローチャート。
【発明を実施するための形態】
【０００８】
以下、記録装置の一実施形態について図を参照しながら説明する。記録装置は、例えば、用紙等の媒体に液体の一例であるインクを吐出することによって、文字、写真等の画像を記録するインクジェット式のプリンターである。
【０００９】
図１に示すように、記録装置１１は、筐体１２を備える。記録装置１１は、セットされた原稿を読み取る読取部１３を備えてもよい。読取部１３は、例えば筐体１２の上部に位置する。読取部１３は、原稿台１４と原稿カバー１５とを有する。読取部１３は、原稿台１４と原稿カバー１５との間にセットされた原稿を読み取る。
【００１０】
図２に示すように、記録装置１１は、ユーザーが記録装置１１を操作するための操作部１６を備える。操作部１６は、筐体１２の上部に位置する。本実施形態の操作部１６は、操作ボタン１７と表示パネル１８とを有する。ユーザーは、表示パネル１８を見ながら操作ボタン１７を押下することにより、記録装置１１を操作する。操作部１６は、例えばタッチパネルで構成されてもよい。この場合、表示パネル１８が操作ボタン１７の機能を兼ねる。
【００１１】
図３に示すように、本実施形態の記録装置１１は、開閉可能なカバー２１を備える。図３におけるカバー２１は、開いている。図１におけるカバー２１は、閉じている。カバー２１は、閉じた状態において筐体１２の前面を構成する。カバー２１が開くと、筐体１２の内部が露出する。
【００１２】
記録装置１１は、媒体９９を収容する媒体収容部２２を備えてもよい。本実施形態の媒体収容部２２は、筐体１２の下部に位置する。カバー２１が開くと、媒体収容部２２が露出する。そのため、カバー２１が開くことにより、媒体収容部２２に媒体９９を補充できる。媒体収容部２２に収容される媒体９９は、筐体１２内において記録される。本実施形態の記録装置１１は、媒体収容部２２を１つだけ備えるが、媒体収容部２２を複数備えてもよい。
【００１３】
記録装置１１は、記録された媒体９９の排出先として使用される複数の排出部２４を備える。本実施形態の記録装置１１は、排出部２４として、第１排出部２５と、第２排出部２６とを備える。第１排出部２５は、第２排出部２６と異なる排出先である。排出部２４に排出される媒体９９は、筐体１２外に排出される。排出部２４は、２つに限らず、３つ以上設けられてもよい。
【００１４】
本実施形態の第１排出部２５は、カバー２１を開くことにより使用可能となる。第１排出部２５に排出される媒体９９は、筐体１２の前面から排出される。第１排出部２５に排出される媒体９９は、記録装置１１が設置される設置面に積載される。記録装置１１は、第１排出部２５に排出される媒体９９を積載するトレイを備えてもよい。例えば、開いた状態のカバー２１がトレイを兼ねるようにしてもよい。
【００１５】
記録装置１１は、第２排出部２６に排出される媒体９９を積載する排出トレイ２７を有する。排出トレイ２７は、読取部１３と媒体収容部２２との間に位置する。本実施形態において、排出トレイ２７は、筐体１２の外装の一部を構成する。
【００１６】
図４に示すように、記録装置１１は、媒体９９に記録する記録部の一例である記録ヘッド３１を備える。本実施形態の記録ヘッド３１は、媒体９９の上方から記録する。図４に示す１点鎖線は、筐体１２内を移動する媒体９９の軌跡を示す。
【００１７】
記録装置１１は、媒体９９を記録ヘッド３１に向けて供給する供給機構３２を備えてもよい。供給機構３２は、供給経路３３に沿って媒体９９を搬送する。供給経路３３は、媒体収容部２２から記録ヘッド３１に向けて延びる経路である。記録装置１１は、媒体収容部２２とは異なる位置から媒体９９を供給できるように設けられてもよい。例えば、記録装置１１は、筐体１２の後面から媒体９９を供給可能に構成されてもよい。
【００１８】
本実施形態の供給機構３２は、第１供給ローラー３４、第２供給ローラー３５及び第３供給ローラー３６を有する。第１供給ローラー３４、第２供給ローラー３５及び第３供給ローラー３６は、供給経路３３に沿って配置される。供給経路３３において媒体収容部２２から記録ヘッド３１に向かって順に、第１供給ローラー３４、第２供給ローラー３５、第３供給ローラー３６が配置される。
【００１９】
本実施形態の供給経路３３は、筐体１２内において、媒体収容部２２の端部のうち筐体１２の後面寄りとなる媒体収容部２２の後端から上方に向けて湾曲し、第２供給ローラー３５の上方を通過しながら延びる。供給経路３３は、第２供給ローラー３５の上方を通過した後、筐体１２の前面に向けて延びる。そのため、供給経路３３を搬送される媒体９９においては、媒体収容部２２に収容されるときと、記録ヘッド３１と対向するときとでその姿勢が反転する。
【００２０】
記録装置１１は、記録ヘッド３１により記録された媒体９９を排出部２４に向けて排出する排出機構３８を備えてもよい。排出機構３８は、排出経路３９に沿って媒体９９を搬送する。排出経路３９は、記録ヘッド３１から排出部２４に向けて延びる経路である。そのため、排出経路３９は、排出部２４の数に対応するように構成される。本実施形態の排出経路３９は、第１排出経路４１と、第２排出経路４２とを有する。
【００２１】
第１排出経路４１は、記録ヘッド３１から第１排出部２５に向けて延びる経路である。本実施形態の第１排出経路４１は、記録ヘッド３１から筐体１２の前面に向けて延びる。そのため、第１排出経路４１を搬送される媒体９９は、記録ヘッド３１により直前に記録された面が上面となる姿勢で第１排出部２５に排出される。これをフェイスアップ排出ともいう。フェイスアップ排出の場合、記録ヘッド３１により直前に記録された面が上面となるため、排出された媒体９９を識別しやすくなる。
【００２２】
第２排出経路４２は、記録ヘッド３１から第２排出部２６に向けて延びる経路である。本実施形態の第２排出経路４２は、記録ヘッド３１から筐体１２の前面に向けて延びた後、上方に向けて湾曲しながら延びる。そのため、第２排出経路４２を搬送される媒体９９においては、記録ヘッド３１と対向するときと、排出トレイ２７に積載されるときとでその姿勢が反転する。すなわち、第２排出経路４２を搬送される媒体９９は、記録ヘッド３１により直前に記録された面が下面となる姿勢で第２排出部２６に向けて排出される。これをフェイスダウン排出ともいう。フェイスダウン排出の場合、記録された面が下面となるため、排出された媒体９９の機密性が保たれる。
【００２３】
本実施形態の排出機構３８は、第１排出ローラー４３、第２排出ローラー４４及び第３排出ローラー４５を有する。第１排出ローラー４３、第２排出ローラー４４及び第３排出ローラー４５は、排出経路３９に沿って配置される。第１排出ローラー４３及び第２排出ローラー４４は、第１排出経路４１及び第２排出経路４２に沿って媒体９９を搬送する。第３排出ローラー４５は、第２排出経路４２に沿って媒体９９を搬送する。排出経路３９において記録ヘッド３１から第２排出部２６に向かって順に、第１排出ローラー４３、第２排出ローラー４４、第３排出ローラー４５が配置される。
【００２４】
図４及び図５に示すように、記録装置１１は、第１位置と第２位置とに変位可能に構成される変位部材４７を備えてもよい。図４における変位部材４７は第２位置に位置し、図５における変位部材４７は第１位置に位置する。変位部材４７は、第１位置に位置する場合に、媒体９９を第１排出部２５に向けてガイドする。変位部材４７は、第２位置に位置する場合に、媒体９９を第２排出部２６に向けてガイドする。
【００２５】
変位部材４７は、例えば軸４８を中心に回転することにより変位する。軸４８が設けられる部分とは反対となる変位部材４７の先端部分は、変位部材４７が第１位置に位置するときよりも第２位置に位置するときの方が上方に位置する。そのため、媒体９９は、第２位置に位置する変位部材４７に接触すると、上方にガイドされる。
【００２６】
変位部材４７は、ユーザーによって手動で変位される構成でもよいし、モーター４９の駆動によって変位される構成でもよい。本実施形態においては、カバー２１が閉じていると、変位部材４７が第２位置から第１位置に変位する際にカバー２１に接触する。このとき、変位部材４７がカバー２１を押すことによって、カバー２１が開く。これにより、第１排出部２５に媒体９９を排出可能な状態となる。
【００２７】
第１排出部２５に媒体９９を排出可能な状態からユーザーが手動でカバー２１を閉じると、カバー２１が変位部材４７と接触する。このとき、カバー２１が変位部材４７を押すことによって、変位部材４７が第１位置から第２位置に変位する。これにより、第２排出部２６に媒体９９を排出可能な状態となる。カバー２１が開いていても、変位部材４７が第２位置に位置する場合、媒体９９は、第２排出部２６に排出される。変位部材４７とカバー２１とが連動するように構成されてもよい。
【００２８】
記録装置１１は、第２位置に位置する変位部材４７を検出する検出部５１を備えてもよい。検出部５１は、例えば接触式のセンサーで構成される。検出部５１は、光学式のセンサーで構成されてもよい。本実施形態の検出部５１は、第２位置に位置する変位部材４７と接触する位置に位置する。検出部５１が変位部材４７を検出する場合、変位部材４７が第２位置に位置していることを把握できる。逆に、検出部５１が変位部材４７を検出しない場合、変位部材４７が第２位置に位置していない、すなわち変位部材４７が第１位置に位置していることを把握できる。
【００２９】
記録装置１１は、第２排出部２６に向けて排出される媒体９９を検知する検知部５２を備えてもよい。検知部５２は、例えば接触式のセンサーで構成される。検知部５２は、光学式のセンサーで構成されてもよい。検知部５２は、第２排出経路４２を搬送される媒体９９を検知し、第１排出経路４１を搬送される媒体９９を検知しない位置に位置する。本実施形態の検知部５２は、第２排出経路４２において、第２排出ローラー４４と第３排出ローラー４５との間に位置する媒体９９を検知可能な位置に位置する。検知部５２が媒体９９を検知した回数が、第２排出部２６に向けて排出された媒体９９の数となる。
【００３０】
記録装置１１は、媒体９９の両面に記録できるように構成されてもよい。例えば、記録装置１１は、片面を記録した媒体９９を再搬送経路５４に向けて搬送する。再搬送経路５４は、記録ヘッド３１から供給経路３３の途中に向けて延びる経路である。再搬送経路５４は、第１供給ローラー３４と第２供給ローラー３５との間を通過するように延びる。
【００３１】
媒体９９の両面に記録する場合、片面を記録された媒体９９は、例えば第３供給ローラー３６、第１排出ローラー４３及び第２排出ローラー４４などが通常とは逆向きに回転することによって、再搬送経路５４に向けて搬送される。媒体９９は、再搬送経路５４を搬送されることにより供給経路３３に戻される。再搬送経路５４を経て供給経路３３に戻された媒体９９は、再び記録ヘッド３１に供給される。このとき、媒体９９の姿勢は、供給経路３３を搬送される過程で反転される。その結果、すでに記録された面とは反対の面が記録ヘッド３１と対向する。このようにして、記録装置１１は、媒体９９の両面に記録する。
【００３２】
図６に示すように、記録装置１１は、記録装置１１の動作を制御する制御部５６を備える。制御部５６は、記録装置１１が備える各種構成の動作を統括的に制御する。制御部５６は、ＣＰＵ５７を有する。制御部５６は、不揮発性メモリー５８を有する。制御部５６は、例えば、ＣＰＵ５７が不揮発性メモリー５８に記憶されたプログラムを実行することにより記録装置１１を制御する。本実施形態の制御部５６は、揮発性メモリー５９を有する。
【００３３】
本実施形態の記録装置１１は、ホスト装置１０１と通信可能に構成される。ホスト装置１０１は、ホスト装置１０１の動作を制御する制御部１０２を備える。制御部１０２は、ＣＰＵ１０３、不揮発性メモリー１０４及び揮発性メモリー１０５を有する。制御部１０２は、例えば、ＣＰＵ１０３が不揮発性メモリー１０４に記憶されたプログラムを実行することによりホスト装置１０１を制御する。
【００３４】
ホスト装置１０１は、ユーザーが制御部１０２に指示を入力するための入力部１０６と、情報を表示する表示部１０７を備える。ユーザーは、表示部１０７を見ながら入力部１０６を操作することにより、ホスト装置１０１を操作する。
【００３５】
ホスト装置１０１には、記録装置１１のデバイスドライバーがインストールされている。これにより、ホスト装置１０１は、記録装置１１を制御できる。ユーザーは、ホスト装置１０１から記録装置１１の制御部５６にジョブデータを送信することにより、記録装置１１に画像を記録させる。ユーザーは、ホスト装置１０１を介さず、記録装置１１の操作部１６を操作することにより、記録装置１１の制御部５６にジョブデータを送信することもできる。
【００３６】
記録装置１１は、媒体９９に記録する際、複数の排出部２４のうち一の排出部２４に向けて媒体９９を排出する。そのため、制御部５６は、複数の排出部２４から一の排出部２４を媒体９９の排出先として決定する。制御部５６は、受信したジョブデータに基づいて媒体９９の排出先を決定する。
【００３７】
制御部５６は、受信したジョブデータにおいて媒体９９の排出先が指定されている場合に、指定された排出部２４を媒体９９の排出先として決定する。このとき、制御部５６は、指定された排出部２４に媒体９９が排出されるように変位部材４７を変位させる。例えば、制御部５６は、媒体９９の排出先が第１排出部２５として指定されたジョブデータを受信した場合、変位部材４７を第１位置に位置させる。制御部５６は、媒体９９の排出先が第２排出部２６として指定されたジョブデータを受信した場合、変位部材４７を第２位置に位置させる。制御部５６は、モーター４９を制御することにより変位部材４７を変位させてもよいし、変位部材４７を変位させるように表示パネル１８を介してユーザーに促してもよい。
【００３８】
制御部５６が受信するジョブデータにおいては、媒体９９の排出先が指定されているジョブデータがある一方で、媒体９９の排出先が指定されていないジョブデータもある。制御部５６は、受信したジョブデータにおいて媒体９９の排出先が指定されていない場合に、媒体９９の排出先として使用された複数の排出部２４の使用頻度に基づいて、排出部２４の使用傾向を学習し、複数の排出部２４から一の排出部２４を媒体９９の排出先として決定する。まとめると、記録装置１１の制御方法としては、媒体９９の排出先が指定されている場合に、指定された一の排出部２４を媒体９９の排出先として決定することと、媒体９９の排出先が指定されていない場合に、媒体９９の排出先として使用された複数の排出部２４の使用頻度に基づいて、排出部２４の使用傾向を学習し、複数の排出部２４から一の排出部２４を媒体９９の排出先として決定することと、を含む。
【００３９】
使用頻度が高い排出部２４は、ユーザーが頻繁に使用する排出部２４である。使用頻度が低い排出部２４は、ユーザーがあまり使用しない排出部２４である。このように、使用頻度に基づいてユーザーが普段使用する排出部２４を把握できる。例えば、媒体９９の排出先が指定されていない場合に、使用頻度が最も高い排出部２４を媒体９９の排出先として決定すると、ユーザーが普段使用する排出部２４に媒体９９が排出される。これにより、ユーザーにとって使い勝手が向上する。
【００４０】
次に、ホスト装置１０１から記録装置１１にジョブデータを送信するときの流れについて説明する。
図７に示すように、ジョブデータを送信する際、ホスト装置１０１の表示部１０７には、指定画面１１１が表示される。指定画面１１１は、ホスト装置１０１から記録装置１１にジョブデータを送信する前に表示される。ユーザーは、指定画面１１１において、画像を記録する際の条件を指定できる。指定画面１１１において条件を指定した後、ＯＫボタン１１２を選択すると、指定した条件のデータ及び記録する画像データを含むジョブデータがホスト装置１０１から記録装置１１に送信される。キャンセルボタン１１３を選択すると、ジョブデータは送信されない。
【００４１】
指定画面１１１においては、例えば記録品質リスト１１４、媒体サイズリスト１１５及び排出先リスト１１６が表示される。本実施形態の指定画面１１１においては、その他に静音モードチェックボックス１１７及び両面記録チェックボックス１１８が表示される。
【００４２】
記録品質リスト１１４においては、記録品質の条件を指定できる。本実施形態の記録品質リスト１１４においては、「標準」、「はやい」、「きれい」の３つの条件から１つの条件を指定できる。例えば、記録品質リスト１１４において「標準」を指定すると、記録装置１１は、通常の品質で記録する。記録品質リスト１１４において「はやい」を指定すると、記録装置１１は、記録速度を重視して記録する。記録品質リスト１１４において「きれい」を指定すると、記録装置１１は、画像の画質を重視して記録する。本実施形態において、指定画面１１１が立ち上がった際、記録品質リスト１１４には「標準」が表示されている。
【００４３】
媒体サイズリスト１１５においては、記録する媒体９９のサイズを指定できる。本実施形態の媒体サイズリスト１１５においては、「Ａ３」、「Ａ４」、「Ｂ４」、「Ｂ５」の４つの条件から１つの条件を指定できる。例えば、媒体サイズリスト１１５において「Ａ４」を指定すると、記録装置１１は、Ａ４サイズの媒体９９に記録する。本実施形態において、指定画面１１１が立ち上がった際、媒体サイズリスト１１５には「Ａ４」が表示されている。
【００４４】
排出先リスト１１６においては、記録した媒体９９の排出先を指定できる。本実施形態の排出先リスト１１６においては、「第１排出部」、「第２排出部」、「自動選択」の３つの条件から１つの条件を選択できる。排出先リスト１１６において「第１排出部」を指定すると、記録装置１１は、記録した媒体９９を第１排出部２５に排出する。排出先リスト１１６において「第２排出部」を指定すると、記録装置１１は、記録した媒体９９を第２排出部２６に排出する。
【００４５】
排出先リスト１１６において「自動選択」を指定すると、ホスト装置１０１は、排出先が指定されていないジョブデータを送信する。すなわち、排出先リスト１１６において「自動選択」を指定すると、記録装置１１は、排出部２４の使用頻度に基づいて媒体９９の排出先を決定する。本実施形態において、指定画面１１１が立ち上がった際、排出先リスト１１６には「自動選択」が表示されている。
【００４６】
静音モードチェックボックス１１７にチェックが入ると、記録装置１１は、静音モードで動作する。記録装置１１は、静音モードとなると、供給機構３２、排出機構３８などの動作を通常よりも遅くすることによって、動作音を低減する。両面記録チェックボックス１１８にチェックが入ると、記録装置１１は、媒体９９の両面に記録する。
【００４７】
本実施形態の制御部５６は、排出部２４の使用頻度に基づいて、排出先が指定されていない場合の排出先として第１排出部２５、第２排出部２６の何れかを設定する。本実施形態において、排出先が指定されていない場合の排出先のことを、自動選択時の排出先と呼ぶこともある。制御部５６は、排出先が指定されていないジョブデータを受信した場合に、排出部２４の使用頻度に基づいて設定された排出部２４を媒体９９の排出先として決定する。本実施形態の記録装置１１は、初期設定として、排出先が指定されていない場合の媒体９９の排出先が第２排出部２６として設定されている。
【００４８】
次に、制御部５６が実行する記録処理について説明する。制御部５６は、ジョブデータを受信すると、記録処理を実行する。制御部５６は、記録処理において、媒体９９の排出先を決定する。
【００４９】
制御部５６は、ジョブデータにおいて媒体９９の排出先として指定された回数である排出部２４の指定回数に基づいて学習し、使用頻度を特定してもよい。本実施形態においては、指定画面１１１の排出先リスト１１６において排出先を指定した回数が指定回数となる。例えば、排出先を指定されたジョブデータを受信した回数が１０回で、排出先として第１排出部２５を指定されたジョブデータを受信した回数が６回である場合には、第１排出部２５の使用頻度は０．６となる。このとき、第２排出部２６の使用頻度は０．４となる。このように、制御部５６は、受信したジョブデータの情報を累積することによって、排出部２４の使用頻度を特定できる。
【００５０】
本実施形態において、排出部２４の使用頻度は、記録装置１１の不揮発性メモリー５８に記憶される。この使用頻度は、リセット可能とされてもよい。使用頻度をリセットする例として、記録装置１１の設置場所の変更、使用するユーザーの変更などがある。使用頻度は、例えば、指定画面１１１で操作することによってリセットされてもよいし、操作部１６を操作することによってリセットされてもよい。
【００５１】
制御部５６は、第１排出部２５の使用頻度が閾値以上となる場合に、媒体９９の排出先が指定されていない場合の媒体９９の排出先として第１排出部２５を設定してもよい。制御部５６は、第１排出部２５の使用頻度が閾値未満となる場合に、媒体９９の排出先が指定されていない場合の媒体９９の排出先として第２排出部２６を設定してもよい。例えば、閾値が０．４であり、第１排出部２５の使用頻度が０．５である場合、第１排出部２５の使用頻度が閾値以上となるため、媒体９９の排出先が指定されていない場合の媒体９９の排出先として第１排出部２５が設定される。例えば、閾値が０．４であり、第１排出部２５の使用頻度が０．３である場合、第１排出部２５の使用頻度が閾値未満であるため、媒体９９の排出先が指定されていない場合の媒体９９の排出先として第２排出部２６が設定される。
【００５２】
本実施形態において、閾値は、記録装置１１の不揮発性メモリー５８に記憶される。この閾値は、変更可能とされてもよい。閾値は、例えば、指定画面１１１で操作することによって変更されてもよいし、操作部１６を操作することによって変更されてもよい。その結果、学習の強弱を変えられる。
【００５３】
制御部５６は、第１排出部２５の使用頻度が閾値以上となる場合に、媒体９９の排出先が指定されていない場合の媒体９９の排出先として第１排出部２５を設定したことを報知してもよい。制御部５６は、第１排出部２５の使用頻度が閾値未満となる場合に、媒体９９の排出先が指定されていない場合の媒体９９の排出先として第２排出部２６を設定したことを報知してもよい。記録装置１１は、表示パネル１８を通じて報知してもよいし、ホスト装置１０１を通じて報知してもよい。こうすると、ユーザーは、排出先リスト１１６において「自動選択」を指定した場合に何れの排出部２４に媒体９９が排出されるのかを把握できる。これにより、ユーザーの使い勝手が向上する。
【００５４】
制御部５６は、記録処理の一例として、排出部２４の指定回数に基づいて学習し、使用頻度を特定する第１記録処理を実行してもよい。
図８に示すように、第１記録処理を実行する制御部５６は、ステップＳ１１において、第１排出部２５の指定回数が所定回数以上であるか否かを判定する。所定回数は、例えば記録装置１１の不揮発性メモリー５８に記憶される。この所定回数は、指定画面１１１及び操作部１６などを介して変更可能とされてもよい。制御部５６は、第１排出部２５の指定回数が所定回数以上である場合に、ステップＳ１２に処理を移行する。制御部５６は、第１排出部２５の指定回数が所定回数未満である場合に、ステップＳ１５に処理を移行する。
【００５５】
制御部５６は、ステップＳ１２において、第１排出部２５の使用頻度が閾値以上であるか否かを判定する。制御部５６は、排出先を指定された回数と、排出先として第１排出部２５を指定された回数とから、第１排出部２５の使用頻度を特定する。制御部５６は、第１排出部２５の使用頻度が閾値以上である場に、ステップＳ１３に処理を移行する。制御部５６は、第１排出部２５の使用頻度が閾値未満である場合に、ステップＳ１４に処理を移行する。
【００５６】
制御部５６は、ステップＳ１３において、自動選択時の排出先を第１排出部２５に設定する。すなわち、制御部５６は、ステップＳ１３において、排出先を指定されていない場合の排出先を第１排出部２５に設定する。このとき、制御部５６は、自動選択時の排出先の設定が第２排出部２６から第１排出部２５に変わった場合に、自動選択時の排出先として第１排出部２５が設定されたことを報知する。制御部５６は、ステップＳ１３の処理を終えると、ステップＳ１５に処理を移行する。
【００５７】
ステップＳ１２において第１排出部２５の使用頻度が閾値未満である場合に、制御部５６は、ステップＳ１４において、自動選択時の排出先を第２排出部２６に設定する。すなわち、制御部５６は、ステップＳ１４において、排出先が指定されていない場合の排出先を第２排出部２６に設定する。このとき、制御部５６は、自動選択時の排出先の設定が第１排出部２５から第２排出部２６に変わった場合に、自動選択時の排出先として第２排出部２６が設定されたことを報知する。制御部５６は、ステップＳ１４の処理を終えると、ステップＳ１５に処理を移行する。
【００５８】
制御部５６は、ステップＳ１５において、受信したジョブデータにおいて排出先が指定されているか否かを判定する。すなわち、制御部５６は、ステップＳ１５において、受信したジョブデータにおいて排出先として「自動選択」が指定されているか否かを判定するともいえる。制御部５６は、受信したジョブデータにおいて排出先が指定されている場合に、ステップＳ１６に処理を移行する。このとき、制御部５６は、排出先が指定された回数を１だけカウントアップする。制御部５６は、受信したジョブデータにおいて排出先が指定されていない場合、すなわち排出先として「自動選択」が指定されている場合に、ステップＳ１７に処理を移行する。
【００５９】
制御部５６は、ステップＳ１６において、指定された排出先は第１排出部２５であるか否かを判定する。制御部５６は、排出先として第１排出部２５が指定されている場合に、ステップＳ１８に処理を移行する。制御部５６は、排出先として第１排出部２５が指定されていない、すなわち排出先として第２排出部２６が指定されている場合に、ステップＳ１９に処理を移行する。
【００６０】
制御部５６は、ステップＳ１８において、排出先を第１排出部２５に決定する。このとき、変位部材４７が第１位置に変位される。制御部５６は、ステップＳ１８の処理を終えると、ステップＳ２０に処理を移行する。
【００６１】
制御部５６は、ステップＳ２０において、第１排出部２５の指定回数を１だけカウントアップする。制御部５６は、ステップＳ２０の処理を終えると、ステップＳ２１に処理を移行する。
【００６２】
制御部５６は、ステップＳ２１において、媒体９９に記録する。このとき、制御部５６は、ジョブデータにおいて指定された条件に基づいて、受信した画像データの画像を媒体９９に記録する。制御部５６は、ステップＳ２１において、記録した媒体９９を排出する。このとき、制御部５６は、ジョブデータにおいて指定された条件に基づいて、媒体９９を排出する。制御部５６は、ステップＳ２１の処理を終えると、第１記録処理を終了する。
【００６３】
ステップＳ１５において排出先が指定されていない場合、制御部５６は、ステップＳ１７において、自動選択時の排出先として設定されている排出部２４を排出先として決定する。すなわち、この第１記録処理においてステップＳ１３の処理を経た場合には、第１排出部２５が排出先として決定される。この第１記録処理においてステップＳ１４の処理を経た場合には、第２排出部２６が排出先として決定される。この第１記録処理においてステップＳ１３及びステップＳ１４の何れの処理も実行していない場合は、自動選択時の排出先の初期設定である第２排出部２６が排出先として決定される。このとき、排出先として決定された排出部２４に媒体９９が排出されるように、変位部材４７が変位される。制御部５６は、ステップＳ１７の処理を終えると、ステップＳ２１に処理を移行する。
【００６４】
ステップＳ１６において指定された排出先が第１排出部２５でない場合、制御部５６は、ステップＳ１９において、排出先を第２排出部２６に決定する。このとき、変位部材４７が第２位置に変位される。制御部５６は、ステップＳ１９の処理を終えると、ステップＳ２１に処理を移行する。
【００６５】
ステップＳ１１において第１排出部２５の指定回数が所定回数以上であるか否かを判定する理由は、特定する使用頻度の値の信頼性を向上させるためである。第１排出部２５の使用頻度を特定するにあたって第１排出部２５の指定回数が少ないと、ジョブデータを受信するたびに使用頻度の値が大きく変わるおそれがある。そのため、第１記録処理においては、第１排出部２５の指定回数が所定回数以上である場合に、第１排出部２５の使用頻度を特定する。
【００６６】
ステップＳ１７、ステップＳ１８及びステップＳ１９において、検出部５１により変位部材４７の位置を把握してもよい。例えば、第１排出部２５が排出先である場合には、検出部５１が変位部材４７を検出しない状態となるまで処理を進めないようにしてもよい。例えば、第２排出部２６が排出先である場合には、検出部５１が変位部材４７を検出する状態となるまで処理を進めないようにしてもよい。こうすると、排出先に対応する位置に変位部材４７を確実に位置させることができる。
【００６７】
制御部５６は、検出部５１が変位部材４７を検出する状態で媒体９９が排出された回数に基づいて学習し、排出部２４の使用頻度を特定してもよい。検出部５１が変位部材４７を検出する状態で媒体９９が排出されると、その媒体９９は第２排出部２６に排出される。そのため、検出部５１が変位部材４７を検出する状態で媒体９９が排出された回数は、第２排出部２６に媒体９９が排出された回数である。一方、検出部５１が変位部材４７を検出しない状態で媒体９９が排出されると、その媒体９９は第１排出部２５に排出される。そのため、検出部５１が変位部材４７を検出しない状態で媒体９９が排出された回数は、第１排出部２５に媒体９９が排出された回数である。
【００６８】
例えば、媒体９９が排出された回数と、第２排出部２６に媒体９９が排出された回数とから、第２排出部２６の使用頻度を特定できる。媒体９９が排出された回数と、第１排出部２５に媒体９９が排出された回数とから、第１排出部２５の使用頻度を特定できる。受信したジョブデータの総数と、第１排出部２５に媒体９９が排出された回数と、第２排出部２６に媒体９９が排出された回数とから、第１排出部２５の使用頻度及び第２排出部２６の使用頻度を特定できる。ジョブデータを受信した回数が１０回で、検出部５１が変位部材４７を検出する状態で媒体９９が排出された回数が４回である場合、第１排出部２５の使用頻度は０．４となり、第２排出部２６の使用頻度０．６となる。
【００６９】
制御部５６は、記録処理の一例として、検出部５１が変位部材４７を検出する状態で媒体９９が排出された回数に基づいて学習し、排出部２４の使用頻度を特定する第２記録処理を実行してもよい。第２記録処理において、第１記録処理と共通する部分については同じ符号を付し、その詳しい説明を省略する。
【００７０】
図９に示すように、第２記録処理を実行する制御部５６は、ステップＳ３１において、第１排出部２５への排出回数が所定回数以上であるか否かを判定する。第１排出部２５への排出回数とは、媒体９９を第１排出部２５に排出した回数のことである。
【００７１】
所定回数は、例えば不揮発性メモリー５８に記憶される。この所定回数は、指定画面１１１及び操作部１６などを介して変更可能とされてもよい。制御部５６は、第１排出部２５への排出回数が所定回数以上である場合に、ステップＳ１２に処理を移行する。制御部５６は、第１排出部２５への排出回数が所定回数未満である場合に、ステップＳ１５に処理を移行する。
【００７２】
制御部５６は、ステップＳ１２において、第１排出部２５の使用頻度が閾値以上であるか否かを判定する。第２記録処理のステップＳ１２において、制御部５６は、受信したジョブデータの総数と第１排出部２５への排出回数とから第１排出部２５の使用頻度を特定する。第１排出部２５の使用頻度が閾値以上である場合、制御部５６は、ステップＳ１３に処理を移行する。第１排出部２５の使用頻度が閾値未満である場合、制御部５６は、ステップＳ１４に処理を移行する。
【００７３】
制御部５６は、ステップＳ１３において、自動選択時の排出先を第１排出部２５に設定する。制御部５６は、ステップＳ１３の処理を終えると、ステップＳ１５に処理を移行する。
【００７４】
ステップＳ１２において第１排出部２５の使用頻度が閾値未満である場合に、制御部５６は、ステップＳ１４において、自動選択時の排出先を第２排出部２６に設定する。制御部５６は、ステップＳ１４の処理を終えると、ステップＳ１５に処理を移行する。
【００７５】
制御部５６は、ステップＳ１５において、受信したジョブデータにおいて排出先が指定されているか否かを判定する。制御部５６は、受信したジョブデータにおいて排出先が指定されている場合に、ステップＳ１６に処理を移行する。制御部５６は、受信したジョブデータにおいて排出先が指定されていない場合に、ステップＳ１７に処理を移行する。
【００７６】
制御部５６は、ステップＳ１６において、指定された排出先は第１排出部２５であるか否かを判定する。制御部５６は、排出先として第１排出部２５が指定されている場合に、ステップＳ１８に処理を移行する。制御部５６は、排出先として第１排出部２５が指定されていない、すなわち排出先として第２排出部２６が指定されている場合に、ステップＳ１９に処理を移行する。
【００７７】
制御部５６は、ステップＳ１８において、排出先を第１排出部２５に決定する。制御部５６は、ステップＳ１８の処理を終えると、ステップＳ２１に処理を移行する。
制御部５６は、ステップＳ２１において、媒体９９に記録、及び媒体９９を排出する。制御部５６は、ステップＳ２１の処理を終えると、ステップＳ３２に処理を移行する。
【００７８】
制御部５６は、ステップＳ３２において、検出部５１が変位部材４７を検出しているか否かを判定する。制御部５６は、検出部５１が変位部材４７を検出している場合、第２記録処理を終了する。制御部５６は、検出部５１が変位部材４７を検出していない場合、ステップＳ３３に処理を移行する。
【００７９】
ステップＳ３２において検出部５１が変位部材４７を検出していない場合、ステップＳ２１において記録された媒体９９は第１排出部２５に排出されたことが把握できる。ステップＳ３２において検出部５１が変位部材４７を検出している場合、ステップＳ２１において記録された媒体９９は第２排出部２６に排出されたことが把握できる。
【００８０】
制御部５６は、ステップＳ３３において、第１排出部２５への排出回数を１だけカウントアップする。制御部５６は、ステップＳ３３の処理を終えると、第２記録処理を終了する。
【００８１】
ステップＳ１５において受信したジョブデータにおいて排出先が指定されていない場合、制御部５６は、ステップＳ１７において、自動選択時の排出先として設定されている排出部２４を排出先として決定する。制御部５６は、ステップＳ１７の処理を終えると、ステップＳ２１に処理を移行する。
【００８２】
ステップＳ１６において指定された排出先が第１排出部２５でない場合、制御部５６は、ステップＳ１９において、排出先を第２排出部２６に決定する。制御部５６は、ステップＳ１９の処理を終えると、ステップＳ２１に処理を移行する。
【００８３】
ステップＳ３１において第１排出部２５の排出回数が所定回数以上であるか否かを判定する理由は、第１記録処理のステップＳ１１と同様に、特定した使用頻度の値の信頼性を向上させるためである。そのため、第２記録処理においては、第１排出部２５の排出回数が所定回数以上である場合に、第１排出部２５の使用頻度を特定する。
【００８４】
第２記録処理においては、媒体９９を排出した後に排出部２４の使用回数をカウントアップする。そのため、媒体９９へ記録する最中、媒体９９を排出する最中などにおいてエラーが発生することにより記録処理が中断されると、排出部２４の使用回数がカウントされない。すなわち、第２記録処理においては、実際に媒体９９が排出された回数に基づいて学習し、使用頻度を特定できる。
【００８５】
制御部５６は、検知部５２が媒体９９を検知した回数である検知回数に基づいて学習し、排出部２４の使用頻度を特定してもよい。検知部５２により、第２排出部２６に排出された媒体９９の数を特定できる。検知部５２の検知回数と、排出したすべての媒体９９の数とから、第１排出部２５に排出された媒体９９の数を特定できる。そのため、検知部５２が媒体９９を検知した回数である検知回数に基づいて学習し、第１排出部２５の使用頻度及び第２排出部２６の使用頻度を特定できる。このようにして、ユーザーが普段使用する排出部２４を特定できる。例えば、媒体９９を排出した回数が１０回で、検知部５２が媒体９９を検知した回数が６回である場合、第２排出部２６の使用頻度は０．６となる。第１排出部２５の使用頻度は、第２排出部２６の使用頻度である０．６を１．０から引くことにより求められる。この場合、第１排出部２５の使用頻度は０．４となる。
【００８６】
制御部５６は、記録処理の一例として、検知部５２が媒体９９を検知した回数である検知回数に基づいて学習し、排出部２４の使用頻度を特定する第３記録処理を実行してもよい。第３記録処理において、第１記録処理と共通する部分については同じ符号を付し、その詳しい説明を省略する。
【００８７】
図１０に示すように、第３記録処理を実行する制御部５６は、ステップＳ４１において、第１排出部２５への排出枚数が所定枚数以上であるか否かを判定する。第１排出部２５への排出枚数とは、第１排出部２５に排出した媒体９９の枚数のことである。制御部５６は、例えば、排出した媒体９９の総枚数から、検知部５２が検知した媒体９９の回数、すなわち第２排出部２６への排出枚数を引くことにより、第１排出部２５への排出枚数を特定する。その結果、検知部５２で間接的に第１排出部２５の排出枚数を特定する事で、センサーの数を減らせる効果がある。
【００８８】
所定枚数は、例えば不揮発性メモリー５８に記憶される。この所定枚数は、指定画面１１１及び操作部１６などを介して変更可能とされてもよい。制御部５６は、第１排出部２５への排出枚数が所定枚数以上である場合に、ステップＳ１２に処理を移行する。制御部５６は、第１排出部２５への排出枚数が所定枚数未満である場合に、ステップＳ１５に処理を移行する。
【００８９】
制御部５６は、ステップＳ１２において、第１排出部２５の使用頻度が閾値以上であるか否かを判定する。第３記録処理のステップＳ１２において、制御部５６は、排出された媒体９９の総枚数と、検知部５２の検知回数による第２排出部２６への排出枚数とから、第１排出部２５の使用頻度を特定する。制御部５６は、第１排出部２５の使用頻度が閾値以上である場合に、ステップＳ１３に処理を移行する。制御部５６は、第１排出部２５の使用頻度が閾値未満である場合に、ステップＳ１４に処理を移行する。
【００９０】
制御部５６は、ステップＳ１３において、自動選択時の排出先を第１排出部２５に設定する。制御部５６は、ステップＳ１３の処理を終えると、ステップＳ１５に処理を移行する。
【００９１】
ステップＳ１２において第１排出部２５の使用頻度が閾値未満である場合に、制御部５６は、ステップＳ１４において、自動選択時の排出先を第２排出部２６に設定する。制御部５６は、ステップＳ１４の処理を終えると、ステップＳ１５に処理を移行する。
【００９２】
制御部５６は、ステップＳ１５において、受信したジョブデータにおいて排出先が指定されているか否かを判定する。制御部５６は、受信したジョブデータにおいて排出先が指定されている場合に、ステップＳ１６に処理を移行する。制御部５６は、受信したジョブデータにおいて排出先が指定されていない場合に、ステップＳ１７に処理を移行する。
【００９３】
制御部５６は、ステップＳ１６において、指定された排出先は第１排出部２５であるか否かを判定する。制御部５６は、排出先として第１排出部２５が指定されている場合に、ステップＳ１８に処理を移行する。制御部５６は、排出先として第１排出部２５が指定されていない、すなわち排出先として第２排出部２６が指定されている場合に、ステップＳ１９に処理を移行する。
【００９４】
制御部５６は、ステップＳ１８において、排出先を第１排出部２５に決定する。制御部５６は、ステップＳ１８の処理を終えると、ステップＳ２１に処理を移行する。
制御部５６は、ステップＳ２１において、媒体９９に記録、及び媒体９９を排出する。制御部５６は、ステップＳ２１の処理を終えると、ステップＳ４２に処理を移行する。
【００９５】
制御部５６は、ステップＳ４２において、検知部５２が媒体９９を検知したか否かを判定する。詳述すると、制御部５６は、ステップＳ４２において、媒体９９が排出される際に、検知部５２が媒体９９を検知したか否かを判定する。制御部５６は、検知部５２が媒体９９を検知しなかった場合、第３記録処理を終了する。制御部５６は、検知部５２が媒体９９を検知した場合、ステップＳ４３に処理を移行する。
【００９６】
ステップＳ４２において検知部５２が媒体９９を検知しなかった場合、ステップＳ２１において記録された媒体９９は第１排出部２５に排出されたことが把握できる。ステップＳ４２において検知部５２が媒体９９を検出した場合、ステップＳ２１において記録された媒体９９は第２排出部２６に排出されたことが把握できる。
【００９７】
制御部５６は、ステップＳ４３において、第２排出部２６への排出枚数を１だけカウントアップする。制御部５６は、ステップＳ４３の処理を終えると、第３記録処理を終了する。
【００９８】
ステップＳ１５において受信したジョブデータにおいて排出先が指定されていない場合、制御部５６は、ステップＳ１７において、自動選択時の排出先として設定されている排出部２４を排出先として決定する。制御部５６は、ステップＳ１７の処理を終えると、ステップＳ２１に処理を移行する。
【００９９】
ステップＳ１６において指定された排出先が第１排出部２５でない場合、制御部５６は、ステップＳ１９において、排出先を第２排出部２６に決定する。制御部５６は、ステップＳ１９の処理を終えると、ステップＳ２１に処理を移行する。
【０１００】
ステップＳ４１において第１排出部２５の排出枚数が所定枚数以上であるか否かを判定する理由としては、第１記録処理のステップＳ１１と同様に、特定した使用頻度の値の信頼性を向上させるためである。そのため、第３記録処理においては、第１排出部２５の排出枚数が所定枚数以上である場合に、第１排出部２５の使用頻度を特定する。第３記録処理においては、第２記録処理と同様に、実際に媒体９９が排出された回数に基づいて学習し、使用頻度を特定できる。
【０１０１】
不揮発性メモリー５８は、記録装置１１にアクセスするユーザーごとに使用頻度を記憶していてもよい。この場合、普段使用される排出部２４をユーザーごとに特定できるため、使い勝手を向上できる。
【０１０２】
制御部５６は、記録処理の一例として、記録装置１１にアクセスするユーザーごとに排出部２４の使用頻度を特定する第４記録処理を実行してもよい。第４記録処理において、第１記録処理と共通する部分については同じ符号を付し、その詳しい説明を省略する。
【０１０３】
図１１に示すように、第４記録処理を実行する制御部５６は、ステップＳ５１において、ジョブデータを送信したユーザーを特定する。制御部５６は、ジョブデータを送信した端末とユーザーとを紐付けて特定してもよいし、ジョブデータを送信した端末から提供される情報からユーザーを特定してもよい。例えば、記録装置１１にジョブデータを送信する際に、ユーザーと紐付けられたアカウントの入力を求めるようにしてもよい。
【０１０４】
制御部５６は、ステップＳ５１においてユーザーを特定すると、ユーザーごとに記憶された排出部２４の使用頻度のデータを読み出す。第４記録処理においては、ユーザーごとによらない共通の閾値、所定回数を設けてもよいし、ユーザーごとに異なる閾値、所定回数を設けてもよい。
【０１０５】
制御部５６は、ステップＳ５１の処理を終えると、ステップＳ１１の処理に移行する。以降の処理は、第１記録処理と同様である。第４記録処理においては、特定したユーザーそれぞれの使用頻度のデータを用いる。
【０１０６】
制御部５６は、静音モードの使用頻度に基づいて媒体９９の排出先を決定してもよい。本実施形態においては、第２排出部２６に媒体９９を排出するよりも第１排出部２５に媒体９９を排出する方が記録装置１１の動作音が静かになる。第２排出部２６に向かう第２排出経路４２は湾曲しながら延びているため、第２排出経路４２を媒体９９が通過する際の音が比較的大きくなる。一方、第１排出部２５に向かう第１排出経路４１は真っ直ぐな経路として延びているため、第１排出経路４１を媒体９９が通過する際の音が比較的小さくなる。そのため、静音モードが指定される場合には、第１排出部２５に媒体９９を排出するようにすると、記録装置１１の動作音をより低減できる。
【０１０７】
制御部５６は、記録処理の一例として、静音モードの使用頻度に基づいて排出先を決定する第５記録処理を実行してもよい。第５記録処理において、第１記録処理と共通する部分については同じ符号を付し、その詳しい説明を省略する。
【０１０８】
図１２に示すように、第５記録処理を実行する制御部５６は、ステップＳ１１において、第１排出部２５の指定回数が所定回数以上であるか否かを判定する。制御部５６は、第１排出部２５の指定回数が所定回数以上である場合に、ステップＳ１２に処理を移行する。制御部５６は、第１排出部２５の指定回数が所定回数未満である場合に、ステップＳ６１に処理を移行する。
【０１０９】
制御部５６は、ステップＳ１２において、第１排出部２５の使用頻度が閾値以上であるか否かを判定する。制御部５６は、第１排出部２５の使用頻度が閾値以上である場合に、ステップＳ１３に処理を移行する。制御部５６は、第１排出部２５の使用頻度が閾値未満である場合に、ステップＳ１４に処理を移行する。
【０１１０】
制御部５６は、ステップＳ１３において、自動選択時の排出先を第１排出部２５に設定する。制御部５６は、ステップＳ１３の処理を終えると、ステップＳ６１に処理を移行する。
【０１１１】
ステップＳ１２において第１排出部２５の使用頻度が閾値未満である場合に、制御部５６は、ステップＳ１４において、自動選択時の排出先を第２排出部２６に設定する。制御部５６は、ステップＳ１４の処理を終えると、ステップＳ６１に処理を移行する。
【０１１２】
制御部５６は、ステップＳ６１において、静音モードの指定回数が所定回数以上であるか否かを判定する。本実施形態においては、指定画面１１１の静音モードチェックボックス１１７にチェックを入れることにより静音モードを指定した回数が静音モードの指定回数となる。
【０１１３】
ステップＳ６１における所定回数は、ステップＳ１１における所定回数とは異なる数値である。所定回数は、例えば記録装置１１の不揮発性メモリー５８に記憶される。この所定回数は、指定画面１１１及び操作部１６などを介して変更可能とされてもよい。制御部５６は、静音モードの指定回数が所定回数以上である場合に、ステップＳ６２に処理を移行する。制御部５６は、静音モードの指定回数が所定回数未満である場合に、ステップＳ１５に処理を移行する。
【０１１４】
制御部５６は、ステップＳ６２において、静音モードの使用頻度が閾値以上であるか否かを判定する。制御部５６は、受信したジョブデータの総数と、静音モードを指定された回数とから、静音モードの使用頻度を特定する。例えば、ジョブデータの総数が１０で、静音モードを指定された回数が６回である場合、静音モードの使用頻度は０．６となる。
【０１１５】
静音モードの使用頻度は、記録装置１１の不揮発性メモリー５８に記憶される。この使用頻度は、リセット可能とされてもよい。使用頻度は、例えば、指定画面１１１で操作することによってリセットされてもよいし、操作部１６を操作することによってリセットされてもよい。
【０１１６】
ステップＳ６２における閾値は、ステップＳ１２における閾値とは異なる数値である。静音モードの閾値は、記録装置１１の不揮発性メモリー５８に記憶される。この閾値は、変更可能とされてもよい。閾値は、例えば、指定画面１１１で操作することによって変更されてもよいし、操作部１６を操作することによって変更されてもよい。
【０１１７】
制御部５６は、ステップＳ６２において、静音モードの使用頻度が閾値以上である場合に、ステップＳ６３に処理を移行する。制御部５６は、ステップＳ６２において、静音モードの使用頻度が閾値未満である場合に、ステップＳ６４に処理を移行する。
【０１１８】
制御部５６は、ステップＳ６３において、静音モード時且つ自動選択時の排出先を第１排出部２５に設定する。静音モード時且つ自動選択時とは、静音モードが指定され、且つ排出先が指定されていないジョブデータを受信したときのことである。制御部５６は、ステップＳ６３の処理を終えると、ステップＳ６５に処理を移行する。
【０１１９】
ステップＳ６２において静音モードの使用頻度が閾値未満である場合に、制御部５６は、ステップＳ６４において、静音モード時且つ自動選択時の排出先を第２排出部２６に設定する。制御部５６は、ステップＳ６４の処理を終えると、ステップＳ６５に処理を移行する。
【０１２０】
図１３に示すように、制御部５６は、ステップＳ６５において、受信したジョブデータにおいて静音モードが指定されているか否かを判定する。制御部５６は、静音モードが指定されている場合に、ステップＳ６６に処理を移行する。制御部５６は、静音モードが指定されていない場合に、ステップＳ１５に処理を移行する。
【０１２１】
制御部５６は、ステップＳ６６において、静音モードの指定回数を１だけカウントアップする。制御部５６は、ステップＳ６６の処理を終えると、ステップＳ１５に処理を移行する。
【０１２２】
制御部５６は、ステップＳ１５において、受信したジョブデータにおいて排出先が指定されているか否かを判定する。制御部５６は、受信したジョブデータにおいて排出先が指定されている場合に、ステップＳ１６に処理を移行する。制御部５６は、受信したジョブデータにおいて排出先が指定されていない場合に、ステップＳ６７に処理を移行する。
【０１２３】
制御部５６は、ステップＳ１６において、指定された排出先は第１排出部２５であるか否かを判定する。排出先として第１排出部２５が指定されている場合、制御部５６は、ステップＳ１８に処理を移行する。排出先として第１排出部２５が指定されていない、すなわち排出先として第２排出部２６が指定されている場合、制御部５６は、ステップＳ１９に処理を移行する。
【０１２４】
制御部５６は、ステップＳ１８において、排出先を第１排出部２５に決定する。制御部５６は、ステップＳ１８の処理を終えると、ステップＳ２０に処理を移行する。
制御部５６は、ステップＳ２０において、第１排出部２５の指定回数を１だけカウントアップする。制御部５６は、ステップＳ２０の処理を終えると、ステップＳ２１に処理を移行する。
【０１２５】
制御部５６は、ステップＳ２１において、媒体９９に記録、及び媒体９９を排出する。制御部５６は、ステップＳ２１の処理を終えると、第１記録処理を終了する。
ステップＳ１６において指定された排出先が第１排出部２５でない場合、制御部５６は、ステップＳ１９において、排出先を第２排出部２６に決定する。制御部５６は、ステップＳ１９の処理を終えると、ステップＳ２１に処理を移行する。
【０１２６】
ステップＳ１５において受信したジョブデータにおいて排出先が指定されていない場合、制御部５６は、ステップＳ６７において、受信したジョブデータにおいて静音モードが指定されているか否かを判定する。ステップＳ６７の処理は、ステップＳ６５の処理と同様の処理である。制御部５６は、静音モードが指定されている場合に、ステップＳ６８に処理を移行する。制御部５６は、静音モードが指定されていない場合に、ステップＳ１７に処理を移行する。
【０１２７】
制御部５６は、ステップＳ１７において、自動選択時の排出先として設定されている排出部２４を排出先として決定する。すなわち、この第５記録処理においてステップＳ１３の処理を経た場合には、第１排出部２５が排出先として決定される。この第５記録処理においてステップＳ１４の処理を経た場合には、第２排出部２６が排出先として決定される。ステップＳ１３及びステップＳ１４の何れの処理も実行していない場合は、自動選択時の排出先の初期設定である第２排出部２６が排出先として決定される。制御部５６は、ステップＳ１７の処理を終えると、ステップＳ２１に処理を移行する。
【０１２８】
ステップＳ６７において静音モードが指定されている場合に、制御部５６は、ステップＳ６８において、静音モード時且つ自動選択時の排出先として設定されている排出部２４を排出先として決定する。すなわち、この第５記録処理において、ステップＳ６３の処理を経た場合には、第１排出部２５が排出先として決定される。この第５記録処理においてステップＳ６４の処理を経た場合には、第２排出部２６が排出先として決定される。ステップＳ６３及びステップＳ６４の何れの処理も実行していない場合は、静音モード時且つ自動選択時の排出先の初期設定である第２排出部２６が排出先として決定される。制御部５６は、ステップＳ６８の処理を終えると、ステップＳ２１に処理を移行する。
【０１２９】
ステップＳ６１において静音モードの指定回数が所定回数以上であるか否かを判定する理由は、特定する使用頻度の値の信頼性を向上させるためである。第５記録処理によれば、静音モードを頻繁に使用するユーザーにとって、使い勝手が向上する。
【０１３０】
制御部５６は、両面記録の使用頻度に基づいて媒体９９の排出先を決定してもよい。媒体９９の両面に記録すると、片面だけに記録する場合と比べて媒体９９の含水量が大きくなりやすい。含水量の多い媒体９９を湾曲する第２排出経路４２を搬送すると、媒体９９に湾曲の癖が残りやすい。本実施形態においては、媒体９９の両面に記録する場合、片面を記録した後、媒体９９を排出経路３９において待機させることにより乾燥させる。そのため、片面が濡れた媒体９９を湾曲する第２排出経路４２に待機させると、湾曲の癖が残りやすい。したがって、両面記録が指定される場合には、第１排出部２５に媒体９９を排出するようにすると、媒体９９が湾曲するおそれを低減できる。
【０１３１】
制御部５６は、記録処理の一例として、両面記録の使用頻度に基づいて排出先を決定する第６記録処理を実行してもよい。第６記録処理において、第１記録処理と共通する部分については同じ符号を付し、その詳しい説明を省略する。
【０１３２】
図１４に示すように、第６記録処理を実行する制御部５６は、ステップＳ１１において、第１排出部２５の指定回数が所定回数以上であるか否かを判定する。制御部５６は、第１排出部２５の指定回数が所定回数以上である場合に、ステップＳ１２に処理を移行する。制御部５６は、第１排出部２５の指定回数が所定回数未満である場合に、ステップＳ７１に処理を移行する。
【０１３３】
制御部５６は、ステップＳ１２において、第１排出部２５の使用頻度が閾値以上であるか否かを判定する。制御部５６は、第１排出部２５の使用頻度が閾値以上である場合に、ステップＳ１３に処理を移行する。制御部５６は、第１排出部２５の使用頻度が閾値未満である場合に、ステップＳ１４に処理を移行する。
【０１３４】
制御部５６は、ステップＳ１３において、自動選択時の排出先を第１排出部２５に設定する。制御部５６は、ステップＳ１３の処理を終えると、ステップＳ７１に処理を移行する。
【０１３５】
ステップＳ１２において第１排出部２５の使用頻度が閾値未満である場合に、制御部５６は、ステップＳ１４において、自動選択時の排出先を第２排出部２６に設定する。制御部５６は、ステップＳ１４の処理を終えると、ステップＳ７１に処理を移行する。
【０１３６】
制御部５６は、ステップＳ７１において、両面記録の指定回数が所定回数以上であるか否かを判定する。本実施形態においては、指定画面１１１の両面記録チェックボックス１１８にチェックを入れることにより両面記録を指定した回数が両面記録の指定回数となる。
【０１３７】
ステップＳ７１における所定回数は、ステップＳ１１における所定回数とは異なる数値である。所定回数は、例えば記録装置１１の不揮発性メモリー５８に記憶される。この所定回数は、指定画面１１１及び操作部１６などを介して変更可能とされてもよい。制御部５６は、両面記録の指定回数が所定回数以上である場合に、ステップＳ７２に処理を移行する。制御部５６は、両面記録の指定回数が所定回数未満である場合に、ステップＳ１５に処理を移行する。
【０１３８】
制御部５６は、ステップＳ７２において、両面記録の使用頻度が閾値以上であるか否かを判定する。制御部５６は、受信したジョブデータの総数と、両面記録を指定された回数とから、両面記録の使用頻度を特定する。例えば、ジョブデータの総数が１０で、両面記録を指定された回数が６回である場合、両面記録の使用頻度は０．６となる。
【０１３９】
両面記録の使用頻度は、記録装置１１の不揮発性メモリー５８に記憶される。この使用頻度は、リセット可能とされてもよい。使用頻度は、例えば、指定画面１１１で操作することによってリセットされてもよいし、操作部１６を操作することによってリセットされてもよい。
【０１４０】
ステップＳ７２における閾値は、ステップＳ１２における閾値とは異なる数値である。両面記録の閾値は、記録装置１１の不揮発性メモリー５８に記憶される。この閾値は、変更可能とされてもよい。閾値は、例えば、指定画面１１１で操作することによって変更されてもよいし、操作部１６を操作することによって変更されてもよい。
【０１４１】
制御部５６は、ステップＳ７２において、両面記録の使用頻度が閾値以上である場合に、ステップＳ７３に処理を移行する。制御部５６は、ステップＳ７２において、両面記録の使用頻度が閾値未満である場合に、ステップＳ７４に処理を移行する。
【０１４２】
制御部５６は、ステップＳ７３において、両面記録時且つ自動選択時の排出先を第１排出部２５に設定する。両面記録時且つ自動選択時とは、両面記録が指定され、且つ排出先が指定されていないジョブデータを受信したときのことである。制御部５６は、ステップＳ７３の処理を終えると、ステップＳ７５に処理を移行する。
【０１４３】
ステップＳ７２において両面記録の使用頻度が閾値未満である場合に、制御部５６は、ステップＳ７４において、両面記録時且つ自動選択時の排出先を第２排出部２６に設定する。制御部５６は、ステップＳ７４の処理を終えると、ステップＳ７５に処理を移行する。
【０１４４】
図１５に示すように、制御部５６は、ステップＳ７５において、受信したジョブデータにおいて両面記録が指定されているか否かを判定する。制御部５６は、両面記録が指定されている場合に、ステップＳ７６に処理を移行する。制御部５６は、両面記録が指定されていない場合に、ステップＳ１５に処理を移行する。
【０１４５】
制御部５６は、ステップＳ７６において、両面記録の指定回数を１だけカウントアップする。制御部５６は、ステップＳ７６の処理を終えると、ステップＳ１５に処理を移行する。
【０１４６】
制御部５６は、ステップＳ１５において、受信したジョブデータにおいて排出先が指定されているか否かを判定する。制御部５６は、受信したジョブデータにおいて排出先が指定されている場合に、ステップＳ１６に処理を移行する。制御部５６は、受信したジョブデータにおいて排出先が指定されていない場合に、ステップＳ７７に処理を移行する。
【０１４７】
制御部５６は、ステップＳ１６において、指定された排出先は第１排出部２５であるか否かを判定する。排出先として第１排出部２５が指定されている場合、制御部５６は、ステップＳ１８に処理を移行する。排出先として第１排出部２５が指定されていない、すなわち排出先として第２排出部２６が指定されている場合、制御部５６は、ステップＳ１９に処理を移行する。
【０１４８】
制御部５６は、ステップＳ１８において、排出先を第１排出部２５に決定する。制御部５６は、ステップＳ１８の処理を終えると、ステップＳ２０に処理を移行する。
制御部５６は、ステップＳ２０において、第１排出部２５の指定回数を１だけカウントアップする。制御部５６は、ステップＳ２０の処理を終えると、ステップＳ２１に処理を移行する。
【０１４９】
制御部５６は、ステップＳ２１において、媒体９９に記録、及び媒体９９を排出する。制御部５６は、ステップＳ２１の処理を終えると、第１記録処理を終了する。
ステップＳ１６において指定された排出先が第１排出部２５でない場合、制御部５６は、ステップＳ１９において、排出先を第２排出部２６に決定する。制御部５６は、ステップＳ１９の処理を終えると、ステップＳ２１に処理を移行する。
【０１５０】
ステップＳ１５において受信したジョブデータにおいて排出先が指定されていない場合、制御部５６は、ステップＳ７７において、受信したジョブデータにおいて両面記録が指定されているか否かを判定する。ステップＳ７７の処理は、ステップＳ７５の処理と同様の処理である。制御部５６は、両面記録が指定されている場合に、ステップＳ７８に処理を移行する。制御部５６は、両面記録が指定されていない場合に、ステップＳ１７に処理を移行する。
【０１５１】
制御部５６は、ステップＳ１７において、自動選択時の排出先として設定されている排出部２４を排出先として決定する。すなわち、この第６記録処理においてステップＳ１３の処理を経た場合には、第１排出部２５が排出先として決定される。この第６記録処理においてステップＳ１４の処理を経た場合には、第２排出部２６が排出先として決定される。ステップＳ１３及びステップＳ１４の何れの処理も実行していない場合は、自動選択時の排出先の初期設定である第２排出部２６が排出先として決定される。制御部５６は、ステップＳ１７の処理を終えると、ステップＳ２１に処理を移行する。
【０１５２】
ステップＳ７７において両面記録が指定されている場合に、制御部５６は、ステップＳ７８において、両面記録時且つ自動選択時の排出先として設定されている排出部２４を排出先として決定する。すなわち、この第６記録処理において、ステップＳ７３の処理を経た場合には、第１排出部２５が排出先として決定される。この第６記録処理においてステップＳ７４の処理を経た場合には、第２排出部２６が排出先として決定される。ステップＳ７３及びステップＳ７４の何れの処理も実行していない場合は、両面記録時且つ自動選択時の排出先の初期設定である第２排出部２６が排出先として決定される。制御部５６は、ステップＳ７８の処理を終えると、ステップＳ２１に処理を移行する。
【０１５３】
ステップＳ７１において両面記録の指定回数が所定回数以上であるか否かを判定する理由は、特定する使用頻度の値の信頼性を向上させるためである。第６記録処理によれば、両面記録を頻繁に使用するユーザーにとって、使い勝手が向上する。
【０１５４】
次に、上記実施形態の作用及び効果について説明する。
（１）制御部５６は、ジョブデータにおいて媒体９９の排出先が指定されていない場合に、媒体９９の排出先として使用された複数の排出部２４の使用頻度に基づいて複数の排出部２４から一の排出部２４を媒体９９の排出先として決定する。使用頻度が高い排出部２４は、ユーザーが頻繁に使用する排出部２４である。使用頻度が低い排出部２４は、ユーザーがあまり使用しない排出部２４である。このように、使用頻度に基づいてユーザーが普段使用する排出部２４を把握できる。例えば、排出先が指定されていない場合に、使用頻度が最も高い排出部２４を媒体９９の排出先として決定すると、ユーザーが普段使用する排出部２４に媒体９９が排出される。これにより、使い勝手が向上する。
【０１５５】
（２）制御部５６は、ジョブデータにおいて媒体９９の排出先として指定された回数である排出部２４の指定回数に基づいて学習し、使用頻度を特定する。この場合、指定回数の多い排出部２４が、ユーザーが普段使用する排出部２４である。このように、ユーザーが好んで使用する排出部２４を好適に特定できる。
【０１５６】
（３）制御部５６は、検出部５１が変位部材４７を検出する状態で媒体９９が排出された回数に基づいて学習し、使用頻度を特定する。検出部５１が変位部材４７を検出する状態で媒体９９が排出されると、その媒体９９は第２排出部２６に排出される。そのため、検出部５１が変位部材４７を検出する状態で媒体９９が排出された回数は、第２排出部２６に媒体９９が排出された回数である。一方、検出部５１が変位部材４７を検出しない状態で媒体９９が排出されると、その媒体９９は第１排出部２５に排出される。そのため、検出部５１が変位部材４７を検出しない状態で媒体９９が排出された回数は、第１排出部２５に媒体９９が排出された回数である。
【０１５７】
例えば、媒体９９が排出された回数と第２排出部２６に媒体９９が排出された回数とから、第２排出部２６の使用頻度を特定できる。例えば、媒体９９が排出された回数と第１排出部２５に媒体９９が排出された回数とから、第１排出部２５の使用頻度を特定できる。このように、ユーザーが普段使用する排出部２４を好適に特定できる。
【０１５８】
（４）制御部５６は、検知部５２が媒体９９を検知した回数である検知回数に基づいて学習し、使用頻度を特定する。検知部５２により、第２排出部２６に排出された媒体９９の数を特定できる。検知部５２の検知回数と排出したすべての媒体９９の数とから、第１排出部２５に排出された媒体９９の数を特定できる。そのため、検知部５２が媒体９９を検知した回数である検知回数に基づいて学習し、第１排出部２５の使用頻度及び第２排出部２６の使用頻度を特定できる。このように、ユーザーが普段使用する排出部２４を特定できる。
【０１５９】
（５）記録装置１１は、排出部２４の使用頻度を記録する不揮発性メモリー５８を備え、使用頻度は、リセット可能である。これにより、記録装置１１の電源がオフになったとしても、使用頻度のデータを維持でき、任意のタイミングで使用頻度のデータをリセットできる。したがって、使い勝手を向上できる。
【０１６０】
（６）記録装置１１は、媒体９９の排出先が第１排出部２５である場合に、直前に記録された面が上向きとなる姿勢で媒体９９を第１排出部２５に向けて排出し、媒体９９の排出先が第２排出部２６である場合に、直前に記録された面が下向きとなる姿勢で媒体９９を第２排出部２６に向けて排出する。こうすると、媒体９９の排出先が第１排出部２５である場合、直前に記録された上向きとなる姿勢で媒体９９が排出されるため、排出される媒体９９を識別しやすくできる。媒体９９の排出先が第２排出部２６である場合、直前に記録された面が下向きとなる姿勢で排出されるため、排出される媒体９９の機密性を保つことができる。
【０１６１】
（７）記録装置１１は、排出部２４の使用頻度の閾値を記憶する不揮発性メモリー５８を備え、制御部５６は、第１排出部２５の使用頻度が閾値以上となる場合に、媒体９９の排出先が指定されていない場合の媒体９９の排出先として第１排出部２５を設定し、第１排出部２５の使用頻度が閾値未満となる場合に、媒体９９の排出先が指定されていない場合の媒体９９の排出先として第２排出部２６を設定し、閾値は、変更可能である。
【０１６２】
閾値を変更することによって、媒体９９の排出先が指定されていない場合の媒体９９の排出先として、第１排出部２５を設定されやすくしたり、第２排出部２６を設定されやすくしたりできる。したがって、使い勝手を向上できる。
【０１６３】
（８）制御部５６は、第１排出部２５の使用頻度が閾値以上となる場合に、媒体９９の排出先が指定されていない場合の媒体９９の排出先として第１排出部２５が設定されたことを報知し、第１排出部２５の使用頻度が閾値未満となる場合に、媒体９９の排出先が指定されていない場合の媒体９９の排出先として第２排出部２６が設定されたことを報知する。こうすると、媒体９９の排出先が指定されていない場合の媒体９９の排出先として、第１排出部２５及び第２排出部２６の何れが設定されているのかをユーザーが把握できる。したがって、使い勝手を向上できる。
【０１６４】
（９）記録装置１１は、アクセスするユーザーごとの使用頻度を記憶する不揮発性メモリー５８を備える。こうすると、普段使用される排出部２４をユーザーごとに特定できる。したがって、使い勝手を向上できる。
【０１６５】
本実施形態は、以下のように変更して実施することができる。本実施形態及び以下の変更例は、技術的に矛盾しない範囲で互いに組み合わせて実施することができる。
・制御部５６は、排出先が指定されていない場合の排出先として、使用頻度が最も高い排出部２４を設定してもよい。
【０１６６】
・自動選択時の排出先の初期設定として、第１排出部２５が設定されていてもよい。
・静音モード時且つ自動選択時の排出先の初期設定として、第１排出部２５が設定されていてもよい。
【０１６７】
・両面記録時且つ自動選択時の排出先の初期設定として、第１排出部２５が設定されていてもよい。
・記録処理のステップＳ１１において、ジョブデータにおいて排出先を指定された回数が所定回数以上であるか否かを判定してもよい。
【０１６８】
・検出部５１は、第１位置に位置する変位部材４７を検出するように構成されてもよい。
・検知部５２は、第１排出部２５に排出される媒体９９を検知可能な位置に設けてもよい。第１排出部２５に排出される媒体９９を検知する検知部５２と、第２排出部２６に排出される媒体９９を検知する検知部５２との双方を設けてもよい。
【０１６９】
・排出先が指定されていない場合の排出先として設定された排出部２４を、指定画面１１１が立ち上がった際に排出先リスト１１６に表示されるデフォルト表示として表示させてもよい。例えば、ホスト装置１０１において指定画面１１１が立ち上がった際に、ホスト装置１０１の制御部１０２が記録装置１１の制御部５６から信号を受信することにより、排出先リスト１１６のデフォルト表示を変更する。こうすると、ユーザーは、そのままＯＫボタン１１２を選択するだけで、普段使用する排出部２４を使用できる。また、何れの排出部２４に排出されるのかを把握できるため、使い勝手が向上する。
【０１７０】
・不揮発性メモリー５８は、複数設けられていてもよい。所定回数を記憶する不揮発性メモリー５８と、閾値を記憶する不揮発性メモリー５８とは、異なっていてもよい。
・指定画面１１１は、操作部１６の表示パネル１８に表示されてもよい。
【０１７１】
・記録ヘッド３１が吐出する液体はインクに限らず、例えば機能材料の粒子が液体に分散又は混合されてなる液状体などでもよい。例えば、記録ヘッド３１が液晶ディスプレイ、エレクトロルミネッセンスディスプレイ及び面発光ディスプレイの製造などに用いられる電極材または画素材料などの材料を分散または溶解のかたちで含む液状体を噴射してもよい。
【０１７２】
・本明細書ではインクジェットプリンターを一実施形態として記載しているが、レーザープリンターでもよい。
・排出部２４は２つを選択する場合を記載しているが、３つ以上でもよい。
【０１７３】
・一実施形態を記録装置１１として記載しているが、画像読取装置であってもよい。
以下に、上述した実施形態及び変更例から把握される技術的思想及びその作用効果を記載する。
【０１７４】
記録装置は、媒体に記録する記録部と、記録された前記媒体の排出先である複数の排出部と、複数の前記排出部から一の前記排出部を前記媒体の排出先として決定する制御部と、を備え、前記制御部は、受信したジョブデータにおいて前記媒体の排出先が指定されている場合に、指定された前記排出部を前記媒体の排出先として決定し、前記ジョブデータにおいて前記媒体の排出先が指定されていない場合に、前記媒体の排出先として使用された複数の前記排出部の使用頻度に基づいて複数の前記排出部から一の前記排出部を前記媒体の排出先として決定する。
【０１７５】
使用頻度が高い排出部は、ユーザーが頻繁に使用する排出部である。使用頻度が低い排出部は、ユーザーがあまり使用しない排出部である。このように、使用頻度に基づいてユーザーが普段使用する排出部を把握できる。例えば、排出先が指定されていない場合に、使用頻度が最も高い排出部を媒体の排出先として決定すると、ユーザーが普段使用する排出部に媒体が排出される。したがって、上記構成によれば、使い勝手が向上する。
【０１７６】
記録装置において、前記制御部は、前記ジョブデータにおいて前記媒体の排出先として指定された回数である前記排出部の指定回数に基づいて学習し、前記使用頻度を特定してもよい。
【０１７７】
指定回数の多い排出部が、ユーザーが普段使用する排出部である。上記構成によれば、ユーザーが好んで使用する排出部を好適に特定できる。
記録装置は、前記排出部である第１排出部及び第２排出部と、第１位置と第２位置とに変位可能に構成される変位部材と、前記第２位置に位置する前記変位部材を検出する検出部と、を備え、前記変位部材は、前記第１位置に位置する場合に前記媒体を前記第１排出部に向けてガイドし、前記第２位置に位置する場合に前記媒体を前記第２排出部に向けてガイドし、前記制御部は、前記検出部が前記変位部材を検出する状態で前記媒体が排出された回数に基づいて学習し、前記使用頻度を特定してもよい。
【０１７８】
検出部が変位部材を検出する状態で媒体が排出されると、その媒体は第２排出部に排出される。そのため、検出部が変位部材を検出する状態で媒体が排出された回数は、第２排出部に媒体が排出された回数である。一方、検出部が変位部材を検出しない状態で媒体が排出されると、その媒体は第１排出部に排出される。そのため、検出部が変位部材を検出しない状態で媒体が排出された回数は、第１排出部に媒体が排出された回数である。
【０１７９】
例えば、媒体が排出された回数と第２排出部に媒体が排出された回数とから、第２排出部の使用頻度を特定できる。例えば、媒体が排出された回数と第１排出部に媒体が排出された回数とから、第１排出部の使用頻度を特定できる。したがって、上記構成によれば、ユーザーが普段使用する排出部を好適に特定できる。
【０１８０】
記録装置は、前記排出部である第１排出部及び第２排出部と、前記第２排出部に向けて排出される前記媒体を検知する検知部を備え、前記制御部は、前記検知部が前記媒体を検知した回数である検知回数に基づいて学習し、前記使用頻度を特定してもよい。
【０１８１】
検知部により、第２排出部に排出された媒体の数を特定できる。検知部の検知回数と排出したすべての媒体の数とから、第１排出部に排出された媒体の数を特定できる。そのため、検知部が媒体を検知した回数である検知回数に基づいて学習し、第１排出部の使用頻度及び第２排出部の使用頻度を特定できる。したがって、上記構成によれば、ユーザーが普段使用する排出部を特定できる。
【０１８２】
記録装置は、前記使用頻度を記録する不揮発性メモリーを備え、前記使用頻度は、リセット可能であってもよい。
記録装置の電源がオフになったとしても、使用頻度のデータを維持でき、任意のタイミングで使用頻度のデータをリセットできる。したがって、上記構成によれば、使い勝手を向上できる。
【０１８３】
記録装置は、前記排出部である第１排出部及び第２排出部を備え、前記媒体の排出先が前記第１排出部である場合に、直前に記録された面が上向きとなる姿勢で前記媒体を前記第１排出部に向けて排出し、前記媒体の排出先が前記第２排出部である場合に、直前に記録された面が下向きとなる姿勢で前記媒体を前記第２排出部に向けて排出してもよい。
【０１８４】
この構成によれば、媒体の排出先が第１排出部である場合、直前に記録された上向きとなる姿勢で媒体が排出されるため、排出される媒体を識別しやすくできる。媒体の排出先が第２排出部である場合、直前に記録された面が下向きとなる姿勢で排出されるため、排出される媒体の機密性を保つことができる。
【０１８５】
記録装置は、閾値を記憶する不揮発性メモリーを備え、前記制御部は、前記第１排出部の前記使用頻度が前記閾値以上となる場合に、前記媒体の排出先が指定されていない場合の前記媒体の排出先として前記第１排出部を設定し、前記第１排出部の前記使用頻度が前記閾値未満となる場合に、前記媒体の排出先が指定されていない場合の前記媒体の排出先として前記第２排出部を設定し、前記閾値は、変更可能であってもよい。
【０１８６】
閾値を変更することによって、媒体の排出先が指定されていない場合の媒体の排出先として、第１排出部を設定されやすくしたり、第２排出部を設定されやすくしたりできる。したがって、上記構成によれば、使い勝手を向上できる。
【０１８７】
記録装置において、前記制御部は、前記第１排出部の前記使用頻度が前記閾値以上となる場合に、前記媒体の排出先が指定されていない場合の前記媒体の排出先として前記第１排出部が設定されたことを報知し、前記第１排出部の前記使用頻度が前記閾値未満となる場合に、前記媒体の排出先が指定されていない場合の前記媒体の排出先として前記第２排出部が設定されたことを報知してもよい。
【０１８８】
この構成によれば、媒体の排出先が指定されていない場合の媒体の排出先として、第１排出部及び第２排出部の何れが設定されているのかをユーザーが把握できる。これにより、使い勝手を向上できる。
【０１８９】
記録装置は、前記記録装置にアクセスするユーザーごとの前記使用頻度を記憶する不揮発性メモリーを備えてもよい。
この構成によれば、普段使用される排出部をユーザーごとに特定できる。これにより、使い勝手を向上できる。
【０１９０】
媒体に記録する記録ヘッドと、記録された前記媒体の排出先である複数の排出部と、を備える記録装置の制御方法であって、前記媒体の排出先が指定されている場合に、指定された一の前記排出部を前記媒体の排出先として決定することと、前記媒体の排出先が指定されていない場合に、前記媒体の排出先として使用された複数の前記排出部の使用頻度に基づいて複数の前記排出部から一の前記排出部を前記媒体の排出先として決定することと、を含む。
【０１９１】
この方法によれば、上述した記録装置と同様の効果を得られる。
【符号の説明】
【０１９２】
１１…記録装置、１２…筐体、１３…読取部、１４…原稿台、１５…原稿カバー、１６…操作部、１７…操作ボタン、１８…表示パネル、２１…カバー、２２…媒体収容部、２４…排出部、２５…第１排出部、２６…第２排出部、２７…排出トレイ、３１…記録ヘッド、３２…供給機構、３３…供給経路、３４…第１供給ローラー、３５…第２供給ローラー、３６…第３供給ローラー、３８…排出機構、３９…排出経路、４１…第１排出経路、４２…第２排出経路、４３…第１排出ローラー、４４…第２排出ローラー、４５…第３排出ローラー、４７…変位部材、４８…軸、４９…モーター、５１…検出部、５２…検知部、５４…再搬送経路、５６…制御部、５７…ＣＰＵ、５８…不揮発性メモリー、５９…揮発性メモリー、９９…媒体、１０１…ホスト装置、１０２…制御部、１０３…ＣＰＵ、１０４…不揮発性メモリー、１０５…揮発性メモリー、１０６…入力部、１０７…表示部、１１１…指定画面、１１２…ＯＫボタン、１１３…キャンセルボタン、１１４…記録品質リスト、１１５…媒体サイズリスト、１１６…排出先リスト、１１７…静音モードチェックボックス、１１８…両面記録チェックボックス。
【図１】
2020097148.tif 000003
【図２】
2020097148.tif 000004
【図３】
2020097148.tif 000005
【図４】
2020097148.tif 000006
【図５】
2020097148.tif 000007
【図６】
2020097148.tif 000008
【図７】
2020097148.tif 000009
【図８】
2020097148.tif 000010
【図９】
2020097148.tif 000011
【図１０】
2020097148.tif 000012
【図１１】
2020097148.tif 000013
【図１２】
2020097148.tif 000014
【図１３】
2020097148.tif 000015
【図１４】
2020097148.tif 000016
【図１５】
2020097148.tif 000017